(57)【要約】【課題】  眼球上で移動しても像のゴーストを生じないコンタクトレンズ、その設計方法およびその製造方法を提供する。【解決手段】  この発明は実質上不透明リングを組み入れた多焦点レンズを提供するものである。このレンズは像のゴーストを最小限にするか、あるいは解消するように設計される。さらに、眼球上の上記レンズの性能は、他の累進多焦点設計のレンズよりも予測可能である。【選択図】        図１
2005182039.tif 000002
【特許請求の範囲】
【請求項１】
遠用屈折力領域と、近用屈折力領域と、これら両領域間に配された移行領域を含む累進屈折力ゾーンを有する光学ゾーンを含み、実質上不透明リングは上記移行領域を通過して伝導する光を覆い隠す、コンタクトレンズ。
【請求項２】
上記不透明リングは約７５％から約９５％までの不透明度を含む、請求項１記載のレンズ。
【請求項３】
上記不透明リングは約０．７ｍｍから約１．２ｍｍまでの直径を含む、請求項１記載のレンズ。
【請求項４】
上記不透明リングは、このリングの周辺部からこのリングの最内縁部に向けて不透明度を増すものである、請求項１記載のレンズ。
【請求項５】
上記光学ゾーンは、レンズの前面あるいは後面のいずれか一方に配置されている、請求項１記載のレンズ。
【請求項６】
上記累進屈折力ゾーンは中間屈折力領域をさらに含む、請求項１記載のレンズ。
【請求項７】
上記遠用屈折力領域、上記近用屈折力領域および中間屈折力領域は球面屈折力を含む、請求項１または請求項６に記載のレンズ。
【請求項８】
上記遠用屈折力領域、上記近用屈折力領域および中間屈折力領域はトーリック屈折力を含む、請求項１または請求項６に記載のレンズ。
【請求項９】
遠用屈折力領域と、近用屈折力領域と、これら両領域間に配された移行領域を含む累進屈折力ゾーンを有する光学ゾーンを設けるステップと、上記移行領域を通過して伝導する光を覆い隠す実質上不透明リングを上記移行領域内に設けるステップを含む、コンタクトレンズの設計方法。
【請求項１０】
遠用屈折力領域と、近用屈折力領域と、これら両領域間に配された移行領域を含む累進屈折力ゾーンを有する光学ゾーンを設けるステップと、上記移行領域を通過して伝導する光を覆い隠す実質上不透明リングを上記移行領域内に設けるステップを含む、コンタクトレンズの製造方法。
【請求項１１】
上記不透明リングは、レンズの表面上に上記リングを被覆あるいは印刷することによって設けられる、請求項１０記載の方法。
【請求項１２】
上記不透明リングは、レンズモールドの成形表面の所望部分上に上記リングを堆積させることによって設けられる、請求項１０記載の方法。
【請求項１３】
上記不透明リングは、レンズ材料内にリング形状層を構成する材料を組み込むことによって設けられる、請求項１０記載の方法。
【請求項１４】
上記不透明リングは、レンズの表面をエッチングすることによって設けられる、請求項１０記載の方法。
【発明の詳細な説明】
【発明の分野】
【０００１】
この発明は、眼球用レンズに関するものである。特に、この発明は、１種類より多い光学屈折力あるいは焦点距離を使用し、老眼の矯正に有用なレンズを提供するものである。
【発明の背景】
【０００２】
個々の年齢に従って、眼は、観察者に相対的に近い対象物に焦点を合わせるために、各人固有のレンズを調節、すなわち湾曲させることができなくなる。この状態は老眼として知られている。さらに、各人固有のレンズを除去し、置換物として挿入された眼内レンズを有する人にとって、調節機能は完全に欠けている。
【０００３】
眼の調節不能を矯正するのに使用される方法の中には、人が１つの遠視用レンズと１つの近視用レンズを装着する単一視野システムがある。この単一視野システムは、レンズ装用者が遠方位置および近接位置にある対象物の双方を識別することを可能にするが、距離感覚が実質的に損なわれてしまう点で不利である。他のタイプの多焦点コンタクトレンズでは、レンズ対の各レンズの光学ゾーンは１種類より多い屈折力を備えている。例えば、上記光学ゾーンは、眼が同時に使用する遠視用および近視用の屈折力の両方を有してもよい。これらの方法のうち、視野明瞭度およびレンズ装用者の満足の点で良好な結果を与えるものはない。
【０００４】
屈折力が、近接領域から遠方領域へ、あるいは遠方領域から近接領域へ累進的で連続的に変化するレンズは提案されている。これらのレンズは、これらが遠方領域で見えた対象物から近接領域で見えた対象物までの光を均等化して分散する点で有利である。しかしながら、上記レンズがそのレンズ装用者の視線の中心から外れるように眼球上で移動する場合に、視覚的な人為産物すなわち像のゴーストが結果として生じる。「ゴースト」とは、上記レンズを通して見える対象物がその対象物の幽かな像と一緒にレンズ装用者によって観察されることを意味する。したがって、この不利な点が克服される累進的設計の必要性が存在する。
【発明の開示】
【発明が解決しようとする課題】
【０００５】
この発明の目的は、眼球上で移動しても像のゴーストを生じないコンタクトレンズ、その設計方法およびその製造方法を提供することにある。
【課題を解決するための手段】
【０００６】
この発明の請求項１記載の発明は、コンタクトレンズであって、遠用屈折力領域と、近用屈折力領域と、これら両領域間に配された移行領域を含む累進屈折力ゾーンを有する光学ゾーンを含み、実質上不透明リングは上記移行領域を通過して伝導する光を覆い隠すものである。
【０００７】
この発明の請求項９記載の発明は、コンタクトレンズの設計方法であって、遠用屈折力領域と、近用屈折力領域と、これら両領域間に配された移行領域を含む累進屈折力ゾーンを有する光学ゾーンを設けるステップと、上記移行領域を通過して伝導する光を覆い隠す実質上不透明リングを上記移行領域内に設けるステップを含むものである。
【０００８】
この発明の請求項１０記載の発明は、コンタクトレンズの製造方法であって、遠用屈折力領域と、近用屈折力領域と、これら両領域間に配された移行領域を含む累進屈折力ゾーンを有する光学ゾーンを設けるステップと、上記移行領域を通過して伝導する光を覆い隠す実質上不透明リングを上記移行領域内に設けるステップを含むものである。
【発明の効果】
【０００９】
この発明によれば、眼球上で移動しても像のゴーストを生じないコンタクトレンズ、その設計方法およびその製造方法を提供することができるという効果がある。
【発明の詳細な記述】
【００１０】
この発明は、老眼を矯正するのに有用なレンズを設計する方法、その設計を組み入れているレンズ、および上記レンズを製造する方法を提供するものである。上記レンズは、像のゴーストが最小限化されるか、あるいは解消されるように累進的設計が利用される点で有利である。さらに、眼球上の上記レンズの性能は、他の累進式多焦点設計のレンズよりも予測可能である。
【００１１】
１つの実施の形態では、この発明は、遠用屈折力領域と、近用屈折力領域と、これら両領域間に配された移行領域から本質的に構成され、あるいは構成された累進屈折力ゾーンを有する光学ゾーンから本質的に構成され、あるいは構成され、ここで実質上不透明リングは上記移行領域を通過して伝導する光を覆い隠すコンタクトレンズを提供するものである。
【００１２】
「累進屈折力ゾーン」とは、遠用屈折力領域と、近用屈折力領域と、これら遠用屈折力領域と近用屈折力領域とを連絡する屈折度数を増減する移行領域を有する連続的な非球面ゾーンを意味する。「遠用屈折力領域」とは、レンズ装用者の遠視野明瞭度を所望の程度に矯正するために必要とされる屈折度数を有する領域を意味する。「近用屈折力領域」とは、レンズ装用者の近視野明瞭度を所望の程度に矯正するために必要とされる屈折度数を有する領域を意味する。
【００１３】
この発明のレンズでは、実質上不透明な環状リングを上記移行領域に被せる。「実質上不透明」とは、環状リングの不透明度が約７５％から約１００％までである、すなわち入射光の約７５％から約１００％が吸収されることを意味する。上記リングに使用される不透明度の量は、不透明度を増す結果として生じる光の損失と、上記リングを使用する結果として生じる所望の視野とのバランスに依存するはずである。この発明のレンズでは、約７５％から約９５％までの範囲の不透明度が好適である。上記リングの寸法は、上記移行領域の寸法に実質的に一致するか、あるいはそれよりも僅かに大きくなるように設定される。典型的には、上記移行領域の直径は約０．７ｍｍから約１．２ｍｍまでとなるはずであるから、上記リングの直径は約０．７ｍｍから約１．２ｍｍまで、好ましくは約０．９５ｍｍから約１．１５ｍｍまでとなるはずである。上記環状リングの直径は、照明条件を無視したときのレンズ装用者の瞳孔より大きいリングの例がないように設定される。
【００１４】
上記リングの不透明度は、それ自体、不透明度が上記リングの周辺部から最内縁部に向けて移動するときに不透明度が増すという意味で累進的であってもよい。上記不透明リングは、任意の簡便な方法によりレンズの表面上に上記リングを被覆あるいは印刷することによって設けられてもよい。上記リングを被覆あるいは印刷するのに有用である適切なインクおよび顔料はこの技術分野において周知である。これに代えて、上記不透明リングは、レンズモールドの成形表面の所望部分上に上記リングを堆積させることによって設けられてもよい。「成形表面」とは、レンズの表面を形成するために使用されるモールドまたはモールド半体の表面を意味する。好ましくは、上記堆積は、公知の方法によるパッド印刷によって実行される。
【００１５】
さらに他の実施の形態のように、上記リングは、レンズ材料内にリング形状層を構成する材料を組み込むことによって設けられてもよい。さらに他の実施の形態のように、レンズ表面は、例えば上記不透明リングを与えるエッチングによって分断されてもよい。
【発明を実施するための最良の形態】
【００１６】
図１には、この発明のレンズ１０が描写されている。レンズ１０は、近用屈折力領域である中央領域１１と、移行領域（図示せず）と、この移行領域に被せる環状リング１２と、遠用屈折力領域１３と、非光学レンズ形状領域１４を有している。環状リング１２は周辺部１５と最内縁部１６を有している。レンズの作用は次のように示されている。
【００１７】
図２は、ゼマックス（ＺＥＭＡＸ：登録商標）の光痕跡設計用ソフトウエアを用いて製造された点描図を示している。眼と、累進屈折力を有するレンズはモデル化され、２ｍｍ径の瞳孔に対して上記眼とレンズを通過する光パターンの痕跡が調べられた。上記レンズ径は１４．４ｍｍであり、光学ゾーン全体の径は８ｍｍであった。上記２ｍｍ径の瞳孔は高輝度、すなわち小さな瞳孔モデルを定めるために選択された。上記光は、瞳孔２３および近接像２４と一緒に、バツ印２２として認識される。上記レンズは、約１０００μｍ（１μｍ＝百万分の一メートル）だけ上方に偏心し、７度傾斜しており、このことは、レンズの部分と、本来の位置あるいは眼球上のレンズを通して真直ぐに見つめているときの０度位置との間に７度の角度が生じるように、レンズの上側部分が眼に対して傾斜していることを意味する。図２において、近接像２４は上部に形成されており、この近接像２４に近い移行領域および遠用屈折力領域に、レンズ装用者が像のゴーストを見る原因となるはずの重大なエネルギが存在していることを示す多くのバツ印２２によって囲まれている。
【００１８】
図３には、図２のレンズの移行領域に被せる不透明度約１００％のリングを加えた場合の効果が示されている。上記移行領域の中点はレンズの中心から約１．０ｍｍであった。上記不透明リングは約０．９ｍｍの直径で始まり、約１．１２ｍｍの直径で終わる。図３に示されているように、近接像３４に近い遠用屈折力領域および移行領域にはエネルギが存在せず、これによってレンズ装用者が像のゴーストを見るはずがないことを示すことができる。
【００１９】
図４は、３．５径の瞳孔に関する点描図を示している。８ｍｍ径の光学ゾーンを備えたレンズ全体の径は１４．４ｍｍであった。上記レンズは、約５００μｍ（１μｍ＝百万分の一メートル）だけ上方に偏心し、眼の表面に向かって２．７５度傾斜している。図４において、近接像４４はレンズの上部に形成されており、この近接像４４に近い移行領域および遠用屈折力領域に、レンズ装用者が像のゴーストを見る原因となるはずの重大なエネルギが存在していることを示す多くのバツ印によって囲まれている。
【００２０】
図５には、瞳孔径が３．７５ｍｍであることを除き、図４のレンズと同様のレンズの移行領域の上に不透明度約１００％のリングを加えた場合の効果が示されている。瞳孔が拡大するほの暗い光の条件で上記システムの効果を確認するために、瞳孔径を変化させた。上記移行領域の中点はレンズの中心から約１．０ｍｍであり、上記不透明リングは約０．９ｍｍの直径で始まり、約１．１２ｍｍの直径で終わる。図３に示されているように、近接像５４に近い遠用屈折力領域および移行領域にはエネルギが存在せず、これによってレンズ装用者が像のゴーストを見るはずがないことを示すことができる。
【００２１】
この発明のレンズの累進屈折力ゾーンの設計は、任意の都合のよい設計を用いて提供されてもよい。好適な設計では、上記累進屈折力ゾーンの集光能力（ｓｐｅｅｄ）および形状は、次の数式１によって決定される。
Ａｄｄ(x)＝Ａｄｄpeak＊（１／（ａ＊（１＋（ｘ／ｘc）2n）））
（I）
ここで、Ａｄｄ(x)はレンズ表面上の任意点ｘにおける実測瞬間加入屈折力であり、ｘはレンズ中心からの距離ｘにおけるレンズ表面上の点であり、ａは定数であり、好ましくは１であり、Ａｄｄpeakは加入屈折度数の最大ピークすなわち近用屈折力領域の矯正に必要とされる加入屈折力であり、ｘcはカットオフ半径すなわち遠用屈折力領域から近用屈折力領域へ、あるいは近用屈折力領域から遠用屈折力領域へ移行する屈折力における中点であり、ｎは１と４０との間の変数、好ましくは１と２０との間の変数であり、Ａｄｄは上記レンズの近用屈折力領域と遠用屈折力領域との間の屈折力差に等しい値である。
【００２２】
数式１において、ｎは遠用屈折力領域から近用屈折力領域へ、あるいは近用屈折力領域から遠用屈折力領域への累進勾配を制御する変数である。ｎの値が小さくなればなるほど、より緩やかな勾配の累進となるはずである。
【００２３】
第２に好適な実施の形態では、累進屈折力ゾーンの集光能力および形状は次の数式２によって決定される。
Ａｄｄ(x)＝Ａｄｄpeak＊（１／（ａ＊（１＋（ｘ／ｘc）2）＊ｎ））
（II）
ここで、Ａｄｄ(x)はレンズ表面上の任意点ｘにおける実測瞬間加入屈折力であり、ｘはレンズ中心からの距離ｘにおけるレンズ表面上の点であり、ａは定数であり、好ましくは１であり、Ａｄｄpeakは加入屈折度数の最大ピークであり、ｘcはカットオフ半径であり、ｎは１と４０との間の変数、好ましくは１と２０との間の変数であり、Ａｄｄは上記レンズの近用屈折力領域と遠用屈折力領域との間の屈折力差に等しい値である。
【００２４】
第３に好適な実施の形態では、累進屈折力ゾーンの集光能力および形状は次の数式３によって決定される。
Ａｄｄ(x)＝Ａｄｄpeak＊（１／（ａ＊（１＋（ｘ／ｘc）d）＊ｎ））
（III）
ここで、Ａｄｄ(x)はレンズ表面上の任意点ｘにおける実測瞬間加入屈折力であり、ｘはレンズ中心からの距離ｘにおけるレンズ表面上の点であり、ａは定数であり、好ましくは１であり、ｄは１と４０との間の任意値であり、Ａｄｄpeakは加入屈折度数の最大ピークであり、ｘcはカットオフ半径であり、ｎは１と４０との間の変数、好ましくは１と２０との間の変数であり、Ａｄｄは上記レンズの近用屈折力領域と遠用屈折力領域との間の屈折力差に等しい値である。
【００２５】
この実施の形態の場合には、「集光能力」または「形状」とは、近用屈折力から遠用屈折力への屈折力変化の勾配を意味する。
【００２６】
累進屈折力ゾーンの設計に関する他の実施の形態では、累進屈折力ゾーンの位置、振幅および横幅は次の数式４によって決定される。
【数１】
2005182039.tif 000003
ここで、Ｙはレンズ表面上の任意点ｘにおける加入屈折力であり、ｘはレンズ表面上の点であり、ａは０．５であり、ｋは屈折力がピークとなる屈折力ゾーン内の点であり、Ｐは上記屈折力ゾーンの横幅を制御すると共に、約０より大きく、約１５より小さい係数であり、Ｓは上記屈折力ゾーンの許容度およびその周辺部における低下を制御すると共に、約０より大きく、約３０より小さい係数であり、Ａｄｄは上記レンズの近用屈折力領域と遠用屈折力領域との間の屈折力差に等しいか、あるいは当該屈折力差より小さい値である。
【００２７】
「位置」とは、瞳孔を基準とした屈折力ゾーンの位置を意味する。「振幅」とは、上記屈折力ゾーン内で累進する屈折力の大きさまたは範囲を意味する。
【００２８】
累進屈折力ゾーンを設計するための他の方法では、遠用屈折力領域から近用屈折力領域へ、および近用屈折力領域から遠用屈折力領域への屈折力の変化率および変化の形状は変更される。この実施の形態では、上記累進屈折力ゾーンは、遠用屈折力領域と近用屈折力領域との間の屈折力の変化率および変化の形状が数式５および数式６からなる群より選択された数式に従って決定される。
Ｐｏｗｅｒ＝Ａ−（（１−Ｐ）x）＊Ａ                    （V）
Ｐｏｗｅｒ＝（（１−Ｐ）x）＊Ａ                        （VI）
ここで、Ａは加入屈折力であり、Ｐは０度から１度までの瞳孔フラクションであり、Ｘは０より大きく、好ましくは１より大きく、より好ましくは２、πあるいは２πである。
【００２９】
数式５および数式６の場合には、Ｐは次のように決定される。最大および最小の瞳孔径は、最小から最大までにおける間隔と一緒に選択される。選択された間隔は設計者の裁量であるが、例えばコンピュータ数値制御旋盤によって上記レンズの製造を容易にするのに適した間隔が好ましい。最大径から、全体の直径Ｐの百分率は定義される。
【００３０】
数式５は、遠用屈折力が光学ゾーンの中心に遠用屈折力領域があり、かつ光学ゾーンの周辺部に近用屈折力領域があるという意味で設計された中心遠用レンズに使用される。数式６は中心近用レンズすなわち光学ゾーンの中心に近用屈折力領域があり、かつ光学ゾーンの周辺部に遠用屈折力領域があるレンズに使用される。
【００３１】
これに代えて、上記累進屈折力ゾーンは、次の数式７および数式８のうち１つの数式を用いて、遠用屈折力領域から近用屈折力領域へ、および近用屈折力領域から遠用屈折力領域への屈折力の変化率および変化の形状が変更されるように設計されてもよい。
Ｐｏｗｅｒ＝Ａ−|Ｓｉｎ（ｔ）x|＊Ａ                    （VII）
Ｐｏｗｅｒ＝|Ｓｉｎ（ｔ）x|＊Ａ                        （VIII）
ここで、Ａは加入屈折力であり、ｔは９０度から１８０度までの瞳孔フラクションであり、Ｘは０より大きく、好ましくは１より大きく、より好ましくは２、πあるいは２πである。
【００３２】
数式７および数式８の場合には、ｔは、最大および最小の瞳孔径を選択することによって決定される。直線的な間隔においては、最小径は９０度が割り当てられ、最大径は１８０度が割り当てられる。
【００３３】
数式７は、中心遠用レンズの設計に使用され、数式８は中心近用レンズの設計に使用される。したがって、さらに他の累進屈折力ゾーンの設計では、遠用屈折力領域と近用屈折力領域との間の屈折力の変化率および変化の形状が数式９および数式１０からなる群より選択された数式に従って決定される。
Ｐｏｗｅｒ＝Ａ−|Ｓｉｎ（ｔ）x|＊Ａ                    （IX）
Ｐｏｗｅｒ＝|Ｓｉｎ（ｔ）x|＊Ａ                        （X）
ここで、Ａは加入屈折力であり、ｔは９０度から１８０度までの瞳孔フラクションであり、Ｘは０より大きく、好ましくは１より大きく、より好ましくは２、πあるいは２πである。
【００３４】
この発明の設計は、ハードあるいはソフトのレンズであるコンタクトレンズを製造するのに有用である。上記のようなレンズを製造するのに適切な材料のいずれかで作製されたソフトコンタクトレンズは好適に使用される。この発明のレンズは、遠用光学屈折力および近用光学屈折力に加えて、レンズ表面上に組み入れられる、例えば円柱屈折力等の種々の光学的補正特性のいずれかを有してもよい。
【００３５】
この発明のレンズでは、累進屈折力ゾーンは、対物側の側面あるいは前面、眼球側の側面あるいは後面、あるいはこれらの両面上に配されてもよい。上記累進屈折力ゾーンは、少なくとも２つの屈折力の異なる領域、すなわち遠用屈折力領域および近用屈折力領域を有しており、好ましくは３つの領域、すなわち遠用屈折力領域、近用屈折力領域および中間屈折力領域を有するものである。中間屈折力領域は、遠用屈折力領域の最大屈折力と近用屈折力領域の最大屈折力との間の累進屈折力の結果として提供されてもよい。これに代えて、中間屈折力領域もまた、例えば数式１を用いることによって設計されてもよい。
【００３６】
上記累進屈折力ゾーンは回転軸に対して対称的であることが好ましい。この発明のレンズでは、遠用屈折力、近用屈折力および中間屈折力は球面屈折力あるいはトーリック屈折力である。さらに、遠用光学屈折力領域、近用光学屈折力領域および中間光学屈折力領域は任意の所望で実用的な寸法を有してもよい。
【００３７】
この発明のレンズは、従来の方法のいずれかによって形成されてもよい。例えば、上記レンズ内に形成された累進屈折力ゾーンは、種々の径を用いたダイアモンド旋削によって製造されてもよい。上記累進屈折力ゾーンは、この発明のレンズを形成するために使用されるモールド内でダイアモンド旋削が施されてもよい。その後、モールド間に適切な液状樹脂が配された後に、樹脂が圧縮硬化されてこの発明のレンズを形成する。これに代えて、上記累進屈折力ゾーンはボタンに似たレンズにダイアモンド旋削が施されてもよい。
【００３８】
この発明の具体的な実施態様は以下の通りである。
（１）遠用屈折力領域と、近用屈折力領域と、これら両領域間に配された移行領域を含む累進屈折力ゾーンを有する光学ゾーンを含み、実質上不透明リングは上記移行領域を通過して伝導する光を覆い隠す、コンタクトレンズ。
（２）上記不透明リングは約７５％から約９５％までの不透明度を含む、実施態様１記載のレンズ。
（３）上記不透明リングは約０．７ｍｍから約１．２ｍｍまでの直径を含む、実施態様１記載のレンズ。
（４）上記不透明リングは、このリングの周辺部からこのリングの最内縁部に向けて不透明度を増すものである、実施態様１記載のレンズ。
（５）上記光学ゾーンは、レンズの前面あるいは後面のいずれか一方に配置されている、実施態様１記載のレンズ。
（６）上記累進屈折力ゾーンは中間屈折力領域をさらに含む、実施態様１記載のレンズ。
（７）上記遠用屈折力領域、上記近用屈折力領域および中間屈折力領域は球面屈折力を含む、実施態様１または実施態様６に記載のレンズ。
（８）上記遠用屈折力領域、上記近用屈折力領域および中間屈折力領域はトーリック屈折力を含む、実施態様１または実施態様６に記載のレンズ。
【００３９】
（９）遠用屈折力領域と、近用屈折力領域と、これら両領域間に配された移行領域を含む累進屈折力ゾーンを有する光学ゾーンを設けるステップと、上記移行領域を通過して伝導する光を覆い隠す実質上不透明リングを上記移行領域内に設けるステップを含む、コンタクトレンズの設計方法。
（１０）遠用屈折力領域と、近用屈折力領域と、これら両領域間に配された移行領域を含む累進屈折力ゾーンを有する光学ゾーンを設けるステップと、上記移行領域を通過して伝導する光を覆い隠す実質上不透明リングを上記移行領域内に設けるステップを含む、コンタクトレンズの製造方法。
（１１）上記不透明リングは、レンズの表面上に上記リングを被覆あるいは印刷することによって設けられる、実施態様１０記載の方法。
（１２）上記不透明リングは、レンズモールドの成形表面の所望部分上に上記リングを堆積させることによって設けられる、実施態様１０記載の方法。
（１３）上記不透明リングは、レンズ材料内にリング形状層を構成する材料を組み込むことによって設けられる、実施態様１０記載の方法。
（１４）上記不透明リングは、レンズの表面をエッチングすることによって設けられる、実施態様１０記載の方法。
【図面の簡単な説明】
【００４０】
【図１】この発明のレンズの表面を示す平面図である。
【図２】累進式レンズにおける光痕跡モデルを示す模式図である。
【図３】この発明のレンズにおける光痕跡モデルを示す模式図である。
【図４】累進式レンズにおける光痕跡モデルを示す模式図である。
【図５】この発明のレンズにおける光痕跡モデルを示す模式図である。
【符号の説明】
【００４１】
１０  レンズ
１１  中央領域
１２  環状リング
１３  遠用屈折力領域
１４  非光学レンズ形状領域
１５  周辺部
１６  最内縁部
２２  バツ印
２３  瞳孔
２４  近接像
３４  近接像
４４  近接像
５４  近接像
【図１】
2005182039.tif 000004
【図２】
2005182039.tif 000005
【図３】
2005182039.tif 000006
【図４】
2005182039.tif 000007
【図５】
2005182039.tif 000008
【外国語明細書】
2005182039000001.pdf